(57)【要約】【課題】中材の出し入れを必要とせず、使用者の好みの高さ・形状に容易に変化可能な構造を持たせることで、使用者ごとに異なる、高さの好みや、体格、寝姿勢に、一種類の枕で対応できることを可能とした枕を提供する。【解決手段】枕本体に、外側生地を底辺とする、少なくとも３種類以上の大きさの異なる半円柱形のブロックを所定のマチをあけて連設して形成する枕本体を、長手方向の両端を面ファスナーなどの接続材等で接続しループを形成する。連設する複数のブロックの大きさ、高さを少なくとも３種類以上に設定する。これにより、ループをキャタピラのように回転させることで、上下に重なるブロックの大きさの組合せを変えることで、枕全体の高さと形状を変化させていくことになる。これにより、この枕の使用者は、中材を出し入れするという煩雑な作業をせずとも、ループを回転させるという単純な作業を行うことで、枕の高さ・形状を調整することが出来る。【選択図】図１
0003170885.tif 000002
【実用新案登録請求の範囲】
【請求項１】
基布を筒状に形成し、内部に中材を充填してなる略長方形状の枕であって、基布の長手方向の一端側から他端側にかけて、少なくとも３種の大きさを有する半円柱状のブロックが、少なくともそれぞれ１つずつ並んだ枕本体からなり、この枕本体の一端と他端とが、互いに接続してループを形成する事を特徴とする枕。
【請求項２】
前記枕本体は、ループ状にした状態の枕の周長に相当する長さを有する外側生地と、前記各ブロック分の半円柱状に係る長さを前記枕の周長に加味した長さを有する内側生地とを互いに接合することにより、前記各ブロックが形成されている、請求項１に記載の枕。
【請求項３】
前記枕本体の一端側と他端側とは、スナップボタンや面ファスナー、ファスナーなどの着脱可能な接続材により接続されている、請求項１〜２のいずれかの項に記載の枕。
【請求項４】
前記筒状に形成された各ブロック内には、上記中材の形状が粒状である、請求項１〜３のいずれかの項に記載の枕。
【請求項５】
前記枕本体の長手方向に相接続する上記、半円柱状のブロック間には、上記中材を内部に有さないマチ部分を有する、請求項１〜４のいずれかの項に記載の枕。
【考案の詳細な説明】
【技術分野】
【０００１】
本考案は、高さ調整枕に係り、中材の増減で調整することなく使用者の好みの高さ、形状に変化させることの出来る枕に関する。
【背景技術】
【０００２】
高さ調整の可能な枕は、枕の中材となりうる、綿、化学繊維、合成樹脂製中空パイプ、穀物殻等を縫い付けられたスライドファスナーより出し入れし、その量を増減することで、高さを調整することが可能である。
また、２個以上のブロックからなるパーツの組合せで、仰向け時と横臥時の高さの違いを実現するタイプの枕もあるが、こちらも高さの設定は、縫い付けられたスライドファスナーより中材を出し入れして増減することで高さ調整が可能となる。
さらに、枕の販売時に、体格や身長体重、頭部形状等を測定し、使用者に適した枕を制作するものもあるが、オーダー品を作ったとしても、高さは一種類しか実現できない。
【先行技術文献】
【非特許文献】
【０００３】
【非特許文献１】特許公開２００１−３３３８４６
【考案の概要】
【考案が解決しようとする課題】
【０００４】
しかし、実際枕というものは、その日の体調や、室内環境によって寝心地が変わるものである。好みの高さ、形状であっても、その日ごとに好みが変わるものである。
高さ調整の出来る枕や、使用者に合わせたオリジナルの枕であっても、それが完全に適合しているとは言い難い。
本考案は、中材の出し入れをせずとも、高さ・形状を変化させることが出来る枕を提供することを目的とする。
【課題を解決するための手段】
【０００５】
図１のようにループを形成した状態の枕の周長に相当する長さを図２のように長手方向Ｘに有する外側生地１と図４のように連設した半円柱形のブロックを形成する、半円周長に係る長さを前記枕の周長に加味した長さを長手方向Ｘに有する内側生地２とを互いに接合することにより、各ブロックＡ〜Ｇを形成することが出来る。
その際の加味する長さとは、図４で示すＷを底辺とした半円の高さに相当する長さであり、Ｗに該当する１ａ〜１ｇの長さに必要な長さを加味した長さを２ａ〜２ｇの各寸法とする。
また、隣接するブロック間に、マチ４ａ〜４ｆとなる所定の間隔を設けることで、折り畳みがしやすいようにし、図５のような複数のブロックが連設する枕本体５となる。
【０００６】
長手方向Ｘの両端３ａ、３ｂを接続用資材を使用して、半円が内側になるように折りたたみ、接続することで、連設したＡ〜Ｇの半円柱形のブロックの半円部が内側を向いたループ状の枕となる。
【考案の効果】
【０００７】
ループ状の枕を形成した時、上下に異なる大きさのブロックが重なり合うことで、上下のブロックの高さの合計が枕の高さとなる。
さらにループを回して、上下のブロックの組合せを変えることで、合計の高さが異なり、高さ可変式の枕として使用することが出来る。
大きなブロック同士を組み合わせると高くなり、図９のような頸椎安定型の形状となり、小さいものと組み合わせたり、小さいブロックと小さいブロックの間に大きなブロックが挟まるように重なることで、平らな枕になる。
これにより、中材の量を調整することなく、ループ状の枕をキャタピラのように回すことで、上下の組合せを変更でき、それによって、高さや形状を変えることが出来ることで、ごく短時間で、使用者の好みに合わせて設定が可能な枕を実現する。
【図面の簡単な説明】
【０００８】
【図１】ループを形成した状態の枕本体を表す図。
【図２】外側生地１と内側生地２の寸法の違いと、長手方向Ｘと短手方向Ｙを表した図。
【図３】枕の内側生地２と外側生地１の寸法の差を断面図で表示したもの。４はブロックごとの所定の間隔であるマチを示し、３はループ状にする場合の長手方向の各両端接続部を示す。ブロックの中にしるされたアルファベットは個別ブロックを表す。
【図４】半円柱状のブロック断面で、Ｗは外側生地からなる底辺の長さを表し、Ｒは半円周の長さを表した図。
【図５】長手方向にマチを設けて連設したブロックを表した枕本体の図
【図６】３ａと３ｂを接続するため、内側生地２を内側（Ｖの方向）に折り曲げ、ループ状にしようとする図で、Ｎは各ブロックに充填された中材を表す。
【図７】図６の続きで、接続部３ａと３ｂを接続しようとループ状にした時に、大きさの異なる山型形状のブロックが重なり合わさることを説明するための図。
【図８】接続箇所である３ａと３ｂを接続する図。図２、図５で、Ｘであらわす長手方向が半分に折りたたまれ、図８の矢印部分Ｘとなることを表す図。
【図９】接続部３ａと３ｂが接続され、ループ状になった時に、各ブロックが重なり合い、隙間を埋めるようにブロックが変形していることを示す図であり、上下ブロックの組合せにより、枕全体の形状が変形したことを説明するための図。図６大きなブロックＦが、Ａと重なり、隙間を埋めるようにＧが変形して、頸椎安定形枕の形状になっている状態を示す図。
【考案を実施するための形態】
【０００９】
少なくとも大きさの異なる３種類（図例では７種類）の半円柱形のブロックを作るには、図４のように、半円柱断面で、底辺Ｗに半円となりうる長さを加味したＲを設定する必要がある。
ここで加味する長さは、図４のＷを底辺とした半円の高さに影響を与えることから、Ｗの長さを１とした場合の半円周長Ｒの比率は１：１以上で、１：３程度までが望ましい。
その比率をもとに、図３のように、外側生地１を１ａ〜１ｇのように採寸し、次に内側生地２を２ａ〜２ｇのように、採寸します。
また、図１のようなループを形成するために、枕本体５の折りたたみ性を良くしておく必要があることから、図３の４ａ〜４ｆのような所定の間隔のマチを設ける。
この際の、マチに適した長さとしては、ループを形成した場合の安定感も加味すると、５ｍｍ〜３０ｍｍ程度の間で、隣り合う半円柱形ブロックの大きさを考慮して、４ａ〜４ｆをそれぞれ設定する必要がある。
こうして採寸された外側生地１と内側生地２の生地を縫製で接合することで、図５のように、所定の間隔のマチが介在する半円柱形の筒状となった外側生地１を底辺とするブロックＡ〜Ｇが連設して形成されます。
【００１０】
各ブロックの長手方向の一端を縫い合わせ、反対側の縫い合わせていない部分より、各ブロックに中材Ｎとなりうる、例えば綿、化学繊維綿（ポリエステル綿等、合成樹脂製中空パイプ、穀物殻を充填し、注入口を縫い合わせる。好ましくは、後述の如く、形状変化をより滑らかにさせるためには、粒状の中材が好ましい。
【００１１】
以上で図３のように、外側生地１の側が平坦で、内側生地２の側に複数の山となった枕本体５が形成される。この枕本体を用いて枕にするには、図５のように、広げた状態で山型になっている方が内側になり、図５で、底面になっているほうが枕の外側になるように、図６のように丸めて、予め長手方向の両端の接続部３ａ、３ｂに、接続用のリベットまたは面ファスナー等の資材を取り付ける、もしくは、縫製で縫い付けてしまうことで、図８のように前記のように形成された半円柱形の凸部が内側に向かい合った状態でループ状に固定することが出来る。接続部３ａ、３ｂを例えば自在ファスナーを用いて着脱可能に形成することで、枕として使用したり、外して、天日干ししたりすることができるようになる。
【００１２】
図８のように、ループの内側でブロックが向き合うことで、半円柱形の大きさ、高さによって、枕の高さが変化する。例えば、図９のように最大のブロックＦと中間サイズのＡが重なり、その隙間にＧが介在する組合せでは、枕の高さが高くなり、頸椎安定型の形状になる。また、小さなブロックＢと大きなブロックＦが重なることで、ブロックＡとブロックＣの間にブロックＦが収まり、全体的に低い枕となる。
さらに、小さいブロックと小さいブロックの間に反対側にある大きなブロックが挟まれるように重なった場合、低く平らな形状の枕となる。
このように、ループ状になった枕をキャタピラのように回すことで、上下の組合せが変わることから、就寝時に枕に頭を乗せた状態のままでも、キャタピラのように枕を回し、組合せを変えることで、高さと形状を変化させることが容易な枕として使用できる。
【００１３】
この枕を構成するブロックを半円柱状にしたのは、底辺側を外側にすることで、ループを形成した枕となった時に、外面形状を滑らかな湾曲形状に維持させるためであるとともに、半円部分を内側に向けることで、内側生地２により形成された複数の半円柱形の部分同士が密着しつつ、その形状を滑らかに変化させることが出来るからである。
これにより、枕の高さと形状を容易に変化させつつ、変形後も安定した枕となるようにするためである。
なお、外側生地１と内側生地２を図６のＶとは反対の方向に折り畳み、接続し、外側生地１が内側になるようなループを形成すると、本来外側に来るはずの外側生地１が内側にくるため、膨らみが少なく、各ブロック同士が平面で接触することで、各ブロック同士の接触面積が広くなり、ループ状となった枕をキャタピラのように回す際に、摩擦が強くなり、回しにくくなる。
【符号の説明】
【００１４】
１：外側生地
１ａ〜１ｇ：外側生地ブロック該当箇所
２：内側生地
２ａ〜２ｇ：内側生地ブロック該当箇所
３：接続部分
４：隣接するブロック同士の間隔を所定に保つためのマチ
４ａ〜４ｆ：マチ
５：枕本体
６：ループを形成した時の枕
Ａ〜Ｇ：各ブロックを示す
Ｎ：各ブロックに充填する中材
Ｒ：半円柱形ブロックの半円周長
Ｗ：半円柱形ブロックの底辺長
Ｖ：ループを形成するときの折りたたみ方向
Ｘ：長手方向
Ｙ：短手方向
【図１】
0003170885.tif 000003
【図２】
0003170885.tif 000004
【図３】
0003170885.tif 000005
【図４】
0003170885.tif 000006
【図５】
0003170885.tif 000007
【図６】
0003170885.tif 000008
【図７】
0003170885.tif 000009
【図８】
0003170885.tif 000010
【図９】
0003170885.tif 000011